(57)【特許請求の範囲】
【請求項１】
２つの光源モジュールを備える光源ユニットを有し、
前記光源モジュールは、
基板と、
前記基板の表面に搭載されている発光素子と、
前記発光素子の発光面を覆う状態に前記基板の表面に搭載されている光源レンズと、
前記基板における前記光源レンズの隣接位置から前記発光面の前方に向けて所定の角度で延びている第１反射板と、
前記光源レンズに対して前記第１反射板が隣接する方向とは直交する方向の両側に配置され、前記基板から当該発光面の前方に向けて相互に離れる方向に斜めに延び、前記第１反射板に交差している一対の第２反射板とを備えており、
前記発光素子から射出される発散光は、前記光源レンズを介して前記基板の前方に放射される第１出射光、および、前記光源レンズを介して屈折させられた後に第２反射板で反射されて前記基板の前方に放射される第２出射光に配光され、前記第１出射光および前記第２出射光によって前記基板と前記第１反射板のなす角度で広がる一定幅の照明光を形成するようになっており、
前記光源ユニットは、２つの前記光源モジュールの前記基板が平行あるいは鋭角をなす状態で背中合わせに配置され、一方の前記光源モジュールの前記基板から他方の前記光源モジュールの前記基板までの間の角度で広がる一定幅の線状照明光を形成するようになっており、
前記光源モジュールにおいて、前記基板上の前記発光素子の発光面の発光中心点を原点とし、前記原点で直交して前記発光面と同一平面上を延びる二軸をＸ軸およびＹ軸、前記原点から前記発光面の前方に垂直に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備
えたものとされており、
前記中央レンズ部分を透過した光が前記第１出射光であり、前記側方レンズ部分を透過した後に前記一対の第２反射板で反射された光が前記第２出射光であることを特徴とする照明装置。
【請求項２】
請求項１において、
前記光源ユニットとして、第１、第２光源ユニットを有し、
前記第１、第２光源ユニットは、それぞれの前記線状照明光の長手方向の一部分が重なるように配置されていることを特徴とする照明装置。
【請求項３】
請求項１において、
前記光源ユニットとして、第１、第２光源ユニットを有し、
前記第１、第２光源ユニットは、前記第１光源ユニットの前記線状照明光と前記第２光源ユニットの前記線状照明光とがそれらの幅方向で連続するように配置されていることを特徴とする照明装置。
【請求項４】
請求項１ないし３のうちのいずれかの項において、
前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを備えており、
前記中央レンズ部分および前記側方レンズ部分のそれぞれは、Ｙ軸を中心として同一断面形状を回転させることにより得られる回転体であり、ＸＹ平面からＸ軸のマイナス方向に向って９０°の角度範囲に渡って形成されており、
前記第２中央レンズ部分は、前記中央レンズ部分のＹＺ平面上の前記端面をＸ軸のマイナス方向に所定長さだけ平行移動することにより得られる平行移動体であり、
前記第２側方レンズ部分は、前記側方レンズ部分のＹＺ平面上の前記端面をＸ軸のマイナス方向に所定長さだけ平行移動することにより得られる平行移動体であり、
前記中央レンズ部分を透過した光および前記第２中央レンズ部分を透過した光が前記第１出射光であり、前記側方レンズ部分を透過した後に前記一対の第２反射板で反射された光および前記第２側方レンズ部分を透過した後に前記一対の第２反射板で反射された光が前記第２出射光であることを特徴とする照明装置。
【発明の詳細な説明】
【技術分野】
【０００１】
本発明は、一定幅の線状の照射範囲を形成する照明装置に関する。
【背景技術】
【０００２】
工場において線状に延びる生産ラインを照らす際には、生産ラインの延設方向に沿って長い照射範囲を形成する照明装置を一定間隔で設置する。特許文献１には、長方形の照射範囲を形成する照明装置が記載されている。
【０００３】
同文献では、照明装置は長方形の照射範囲を備える複数の光源モジュールを備えており、これらの光源モジュールを同一方向に向けた状態でマトリック状に配置することによって所望の大きさの長方形の照射範囲を形成している。各光源モジュールは、発光ダイオードからの発散光を、発光ダイオードの発光面の周囲から発光面の前方に向って延びている筒状の配光カップの内周面の鏡によって配光することによって、長方形の照射範囲を形成している。
【先行技術文献】
【特許文献】
【０００４】
【特許文献１】特開２００９−９９５２６号公報
【発明の概要】
【発明が解決しようとする課題】
【０００５】
特許文献１では、照明装置による長方形の照射範囲は、発光ダイオードの発光面に対して平行に形成されている。このため、照明装置によって、より長い線状の照射範囲を形成するためには、照射範囲の長手方向に沿って光源モジュールを追加配置しなければならない。
【０００６】
本発明の課題は、このような点に鑑みて、線状の照射範囲を少数の光源モジュールで形成することができる照明装置を提供することにある。
【課題を解決するための手段】
【０００７】
上記の課題を解決するために、本発明の照明装置は、
２つの光源モジュールを備える光源ユニットを有し、
前記光源モジュールは、
基板と、
前記基板の表面に搭載されている発光素子と、
前記発光素子の発光面を覆う状態に前記基板の表面に搭載されている光源レンズと、
前記基板における前記光源レンズの隣接位置から前記発光面の前方に向けて所定の角度で延びている第１反射板と、
前記光源レンズに対して前記第１反射板が隣接する方向とは直交する方向の両側に配置され、前記基板から当該発光面の前方に向けて相互に離れる方向に斜めに延び、前記第１反射板に交差している一対の第２反射板とを備えており、
前記発光素子から射出される発散光は、前記光源レンズを介して前記基板の前方に放射される第１出射光、および、前記光源レンズを介して屈折させられた後に第２反射板で反射されて前記基板の前方に放射される第２出射光に配光され、前記第１出射光および前記第２出射光によって前記基板と前記第１反射板のなす角度で広がる一定幅の照明光を形成するようになっており、
前記光源ユニットは、２つの前記光源モジュールの前記基板が平行あるいは鋭角をなす状態で背中合わせに配置され、一方の前記光源モジュールの前記基板から他方の前記光源モジュールの前記基板までの間の角度で広がる一定幅の線状照明光を形成するようになっていることを特徴とする。
【０００８】
本発明によれば、光源ユニットを構成している各光源モジュールは、発光素子からの発散光を光源レンズおよび反射板を用いて配光しており、光源モジュールからは発光素子が搭載されている基板と第１反射板のなす角度で広がる一定幅の照明光が出射される。従って、光源モジュールが発光素子を囲む筒状の鏡によって発光素子からの発散光を配光している場合と比較して、光源モジュールから出射される照明光の角度範囲を広くすることができる。また、光源ユニットでは、発光素子を搭載している２つの光源モジュールの基板を平行あるいは鋭角をなす状態で背中合わせに配置している。すなわち、光源ユニットでは、２つの光源モジュールのそれぞれに搭載されている発光素子が互いに基板を挟んで反対側を向くように配置されており、これにより、光源ユニットは一方の光源モジュールの基板から他方の光源モジュールの基板までの間の角度で広がる一定幅の線状照明光を形成するようになっている。従って、２つの光源モジュールの発光素子が同一方向に向くように配置されている場合と比較して、照明光を長くすることができる。よって、線状の照射範囲を少数の光源モジュールによって形成することができる。また、発光素子からの発散光を光源レンズおよび第１、第２反射板を用いて配光しているので、反射板のみを用いて配光する場合と比較して、光源モジュールにより形成される照明光を一定幅の線状にすることが容易となる。
【０００９】
また、本発明は、前記光源モジュールにおいて、前記基板上の前記発光素子の発光面の発光中心点を原点とし、前記原点で直交して前記発光面と同一平面上を延びる二軸をＸ軸およびＹ軸、前記原点から前記発光面の前方に垂直に延びる軸をＺ軸とすると、前記光源レンズは、Ｚ軸方向の前方に位置する中央レンズ部分と、この中央レンズ部分におけるＹ軸方向の両端にそれぞれ形成された側方レンズ部分とを備え、前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされており、前記中央レンズ部分を透過した光が前記第１出射光であり、前記側方レンズ部分を透過した後に前記一対の第２反射板で反射された光が前記第２出射光であることを特徴とする。
【００１０】
本発明によれば、光源モジュールにおいて、発光素子からの発散光のうち光源レンズの中央レンズ部分を透過した透過光は、ＸＺ平面に沿って、Ｙ軸方向の幅が狭められた線状となる。一方、光源からの発散光のうち光源レンズの各側方レンズ部分を透過する光は、ＸＹ平面の方向並びにＹＺ平面の方向に屈折させられているので、中央レンズ部分の透過光とは重ならない方向に放射されるが、この透過光が第２反射面によってＸＹ平面の方向に反射することにより中央レンズ部分の透過光に重ねる、或いは、中央レンズ部分の透過光に沿わせることができる。従って、光源モジュールからの照明光を一定幅で線状のものとすることができる。また、光源レンズの透過光のうち、Ｘ軸をマイナス方向に向う光を第１反射板によってＹＺ平面の側に反射することができるので、照明光の光度を高めることができる。ここで、Ｘ軸を含む平面で切断した場合の断面形状が発散光を発散状態のまま通過させるものとは、この断面形状が、発散光を屈折させることなくそのまま通過させるもの、或いは、発散光を集光を伴わずに通過させるものがある。
【００１１】
本発明において、より長い線状照明光を得るためには、前記光源ユニットとして、第１、第２光源ユニットを有し、前記第１、第２光源ユニットは、それぞれの前記線状照明光の長手方向の一部分が重なるように配置されていることが望ましい。
【００１２】
本発明において、線状照明光の幅を広くするためには、前記光源ユニットとして、第１、第２光源ユニットを有し、前記第１、第２光源ユニットは、前記第１光源ユニットの前記線状照明光と前記第２光源ユニットの前記線状照明光とがそれらの幅方向で連続するように配置されていることが望ましい。
【００１３】
この場合において、前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを備えており、前記中央レンズ部分および前記側方レンズ部分のそれぞれは、Ｙ軸を中心として同一断面形状を回転させることにより得られる回転体であり、ＸＹ平面からＸ軸のマイナス方向に向って９０°の角度範囲に渡って形成されており、前記第２中央レンズ部分は、前記中央レンズ部分のＹＺ平面上の前記端面をＸ軸のマイナス方向に所定長さだけ平行移動することにより得られる平行移動体であり、前記第２側方レンズ部分は、前記側方レンズ部分のＹＺ平面上の前記端面をＸ軸のマイナス方向に所定長さだけ平行移動することにより得られる平行移動体であり、前記中央レンズ部分を透過した光および前記第２中央レンズ部分を透過した光が前記第１出射光であり、前記側方レンズ部分を透過した後に前記一対の第２反射板で反射された光および前記第２側方レンズ部分を透過した後に前記一対の第２反射板で反射された光が第２出射光であることが望ましい。
【００１４】
このような回転体から中央レンズ部分および側方レンズ部分を形成すれば、中央レンズ部分のＸ軸を含む平面で切断した場合の断面形状を、発散光を発散状態のまま通過させるものとすることが容易となり、側方レンズ部分のＸ軸を含む平面で切断した場合の断面形状を、発散光をＹＺ平面の方向に屈折させる正のパワーを備えたものとすることが容易となる。また、第２中央レンズ部分は、Ｘ軸を含む平面で切断した場合の断面形状が発散光を発散状態のまま通過させるものとなり、Ｙ軸を含む平面で切断した場合の断面形状が発散光をＸＺ平面の方向に屈折させる正のパワーを備えたものとなる。さらに、第２側方レンズ部分のそれぞれは、Ｘ軸を含む平面で切断した場合の断面形状が発散光を発散状態のまま通過させるものとなり、Ｙ軸を含む平面で切断した場合の断面形状が発散光をＸＹ平面の方向に屈折させる正のパワーを備えたものとなる。従って、光源からの発散光のうち第２中央レンズ部分の透過光は、ＸＺ平面に沿って、Ｙ軸方向の幅が狭められた線状となり、中央レンズ部分の透過光に連続する。また、光源からの発散光のうち第２側方レンズ部分を通過する光は、ＹＺ平面よりもＸ軸をマイナス方向に向って放射されており、ＸＹ平面の方向に屈折させられる。従って、第２側方レンズ部分の透過光は中央レンズ部分および第２中央レンズ部分の透過光とは重ならない方向に放射されるが、この透過光は第２反射面によってＸＹ平面の方向に反射され、中央レンズ部分の透過光に重ねられる、或いは、中央レンズ部分の透過光に沿わされる。よって、光源モジュールからの照明光を一定幅で線状のものとすることができる。また、光源レンズの透過光のうち、Ｘ軸をマイナス方向に向う光を第１反射板によってＹＺ平面の側に反射することができるので、照明光の光度を高めることができる。
【発明の効果】
【００１８】
本発明によれば、光源ユニットを構成している各光源モジュールは、発光素子からの発散光を光源レンズおよび反射板を用いて配光しており、光源モジュールからは発光素子が搭載されている基板と第１反射板のなす角度で広がる一定幅の照明光が出射される。従って、光源モジュールが発光素子を囲む筒状の鏡によって発光素子からの発散光を配光している場合と比較して、光源モジュールから出射される照明光の角度範囲を広くすることができる。また、光源ユニットでは、発光素子を搭載している２つの光源モジュールの基板を平行あるいは鋭角をなす状態で背中合わせに配置している。すなわち、光源ユニットでは２つの光源モジュールのそれぞれに搭載されている発光素子が互いに基板を挟んで反対側を向くように配置されており、これにより、光源ユニットは一方の光源モジュールの基板から他方の光源モジュールの基板までの間の角度で広がる一定幅の線状照明光を形成するようになっている。従って、２つの光源モジュールの発光素子が同一方向に向くように配置されている場合と比較して、照明光を長くすることができる。これらの結果、線状の照射範囲を少数の光源モジュールによって形成することができる。また、発光素子からの発散光を光源レンズおよび第１、第２反射板を用いて配光しているので、反射板のみを用いて配光する場合と比較して、光源モジュールにより形成される照明光を一定幅の線状にすることが容易となる。
【図面の簡単な説明】
【００１９】
【図１】本発明を適用した照明装置の概観斜視図である。
【図２】照明装置本体を説明するための斜視図と断面図である。
【図３】光源ユニットを説明するための斜視図および断面図である。
【図４】光源モジュールの斜視図である。
【図５】光源モジュールを説明するための平面図と断面図である。
【図６】発光素子の配光特性を示す扇グラフと等高線グラフである。
【図７】光源レンズを説明するための断面図である。
【図８】光源モジュールの配光特性を示す扇グラフと等高線グラフである。
【図９】本例の照明装置を複数設置した状態を示す説明図である。
【図１０】照明装置を４０ｍ間隔で複数設置した場合の照射平面の照度分布図である。
【図１１】照明装置を２６ｍ間隔で複数設置した場合の照射平面の照度分布図である。
【図１２】照明装置に用いる参考例の光源モジュールの平面図と断面図である。
【図１３】図１２の発光素子の配光特性を示す扇グラフと等高線グラフである。
【図１４】図１２の光源モジュールの配光特性を示す扇グラフと等高線グラフである。
【発明を実施するための形態】
【００２０】
以下に図面を参照しながら、本発明を実施するための形態を説明する。
【００２１】
（全体構成）
図１は本発明を適用した照明装置の概観斜視図である。本発明の照明装置１は、地面から直立している支柱１００に取り付けられ、例えば、工場において線状に延びる生産ラインを照らすために用いられる。照明装置１は、開口部が下方を向いた状態で支柱１００に取り付けられている箱型の上ケース２ａと、上ケース２ａの下側から開口部を塞ぐように取り付けられている透明な樹脂製の下ケース２ｂと、これら上ケース２ａおよび下ケース２ｂの内側に収納されている照明装置本体３を備えている。照明装置１は、支柱１００に取り付けられている後端部よりも前端部の側が上方に位置しており、照明装置本体３も照明装置１と同様の角度で傾斜している。照明装置１は、照射対象とする平面領域２００の斜め上方から、この平面領域２００を照らす。照明装置１からは、装置幅方向に長く、装置前後方向の幅が一定の線状照明光が出射される。照射対象とする平面領域２００には、線状の照明範囲が形成される。
【００２２】
図２（ａ）は照明装置に搭載されている照明装置本体３を下方から見た斜視図であり、図２（ｂ）は図１（ａ）のＡ−Ａ線における断面図であり、図２（ｃ）は図２（ａ）のＢ−Ｂ線における断面図である。図３（ａ）は光源ユニット４の斜視図であり、図３（ｂ）は、図３（ａ）のＣ−Ｃ線における断面図である。図３（ｃ）は図３（ａ）のＤ−Ｄ線における断面図である。図２（ｂ）、（ｃ）の二点鎖線は照明装置本体３からの線状照明光を示しており、図３（ｂ）、（ｃ）の二点鎖線は光源ユニットからの照明光を示している。照明装置本体３は、図２に示すように、装置幅方向に２列に配置され、前後方向に延びている各列に４個ずつ配置されている光源ユニット４を備えている。各光源ユニット４は、照明装置１の装置幅方向で隣接配置されている一対の光源モジュール５から構成されている。
【００２３】
各光源モジュール５は、図３に示すように、矩形の基板６と、この基板６に形成された配線パターンに接続された発光素子７を備えている。基板６の表面には発光素子７の発光面７ａを覆うように光源レンズ８が固定されており、発光素子７は光源レンズ８の内側に収納されている。また、各光源モジュール５は、光源レンズ８に隣接する位置から発光面７ａの前方に垂直に延びている第１反射板９と、光源レンズ８に対して第１反射板９が隣接する方向とは直交する方向の両側に配置され、基板６から発光面７ａの前方に向けて相互に離れる方向に斜めに延び、第１反射板９に交差している一対の第２反射板１０を備えている。各光源モジュール５は、図３（ｃ）に示すように、発光素子７から射出される発散光を、光源レンズ８を介して基板６の前方に放射される第１出射光Ｌ１、および、光源レンズ８を介して屈折させられた後に第２反射板１０で反射されて基板６の前方に放射される第２出射光Ｌ２に配光している。これら第１出射光Ｌ１および第２出射光Ｌ２は、基板６と第１反射板９のなす角度で広がる一定幅の照明光を形成している。
【００２４】
ここで、光源ユニット４は、２つの光源モジュール５の基板６が鋭角をなす状態で背中合わせに配置されている。すなわち、２つの光源モジュール５のそれぞれに搭載されている光源素子の発光面７ａが基板６を挟んで反対側を向くように配置されている。この結果、光源ユニット４は、図３（ｂ）、（ｃ）に示すように、一方の光源モジュール５の基板６から他方の光源モジュール５の基板６までの間の角度で広がる一定幅の線状照明光を形成している。従って、照明装置本体３は、図２（ｂ）、（ｃ）に示すように、装置幅方向の一方の光源ユニット４の一方のモジュールの基板６から、他方の光源ユニット４の他方の光源モジュール５の基板６までの間の角度で広がる一定幅の線状照明光を形成する。
【００２５】
本例では、図３（ｂ）に示すように、１つの光源ユニット４を構成している２つの光源モジュール５の基板６が成す交差角度θは３０°となっている。この交差角度θを調整することにより、光源ユニット４が射出する線状照射光の長手方向の照射範囲を設定することができる。なお、２つの光源モジュール５の基板６を平行に配置することもできる。
【００２６】
また、図１に示すように照明装置１が支柱１００に傾斜した状態で取り付けられることにより、照明装置本体３が装置前後方向において傾斜しているので、照明装置１による照射範囲は、照明装置本体３が照射対象の平面領域２００に対して平行となっている場合と比較して、その短手方向の幅が広くなっている。なお、照射対象の平面領域２００に対する照明装置１の前後方向の角度、すなわち、照明装置１を支柱１００に取り付ける角度を調整することにより、照明装置１による照射範囲の短手方向の幅を設定できる。
【００２７】
（光源モジュール）
図４は本例の光源モジュール５の概観斜視図である。図５（ａ）は光源モジュール５の平面図であり、図５（ｂ）は光源モジュール５をＸＺ平面で切断した断面図であり、図５（ｃ）は光源モジュール５をＹＺ平面で切断した断面図である。以下の説明では、光源モジュール５において、発光素子７の発光面７ａの発光中心点Ｐを原点Ｏとし、原点Ｏで直交して発光面７ａと同一平面上を延びる二軸をＸ軸およびＹ軸、原点Ｏから発光面７ａの前方に垂直に延びる軸をＺ軸として説明する。また、Ｘ軸方向の一方をプラス方向、他方をマイナス方向として説明する。
【００２８】
光源モジュール５は、基板６と、この基板６の表面に固定された発光素子７と、発光素子７の発光面７ａを覆うように基板６の表面に固定された光源レンズ８を備えている。光源レンズ８のＺ軸方向の側およびＸ軸のプラス方向の側は開放状態とされており、光源レンズ８のＸ軸のマイナス方向には第１反射板９が隣接配置されている。光源レンズ８のＹ軸方向の両側には一対の第２反射板１０が隣接配置されている。
【００２９】
（発光素子）
図６（ａ）は発光素子７の配光特性を天頂角度と方位角度相対値で示す扇グラフであり、図６（ｂ）は発光素子７の配光特性を方位角度と天頂角度相対値で示す等高線グラフである。本例において、光源として用いた発光素子７は発散光を放射する発光ダイオードであり、図６に示すように、その配光はランバート分布を示している。
【００３０】
（光源レンズ）
図７（ａ）は光源レンズ８をＹ軸方向から見た側面図であり、図７（ｂ）はＹＺ平面で切断した光源レンズ８の断面図である。光源レンズ８は、エポキシ樹脂やポリカーボネート樹脂などの光透過性樹脂を射出成型することによって形成されている。図４、図５（ａ）に示すように、光源レンズ８は、ＹＺ平面よりもＸ軸のプラス側に位置する第１部位１１と、ＹＺ平面よりもＸ軸のマイナス側に位置する第２部位１２を備えている。第１部位１１は発光素子７からの発散光のうちＹＺ平面よりもＸ軸のプラス側を通過する光を配光制御し、第２部位１２は発光素子７からの発散光のうちＹＺ平面よりもＸ軸のマイナス側を通過する光を配光制御する。
【００３１】
第１部位１１は、発光面７ａのＺ軸方向の前方に位置する第１中央レンズ部分（中央レンズ部分）１３と、Ｙ軸方向において第１中央レンズ部分１３の両端に形成されている一対の第１側方レンズ部分（側方レンズ部分）１４を備えている。第２部位１２は、第１中央レンズ部分１３のＸ軸のマイナス方向の端に形成されている第２中央レンズ部分１５と、各第１側方レンズ部分１４のＸ軸のマイナス方向の端に形成されている一対の第２側方レンズ部分１６を備えている。
【００３２】
第１中央レンズ部分１３は、Ｘ軸を含む平面で切断した場合の断面形状が、図５（ｂ）に示すように、発光素子７からの発散光を屈折させることなくそのまま通過させるものとされている。また、Ｙ軸を含む平面で切断した場合の断面形状が、図５（ｃ）に示すように、発光素子７からの発散光をＸＺ平面の方向に屈折させる正のパワーを備えたものとされている。言い換えると、第１中央レンズ部分１３は、当該部分を通過する光を（ｘ,ｙ,ｚ）成分で表した場合に、ｙ成分のみを０に近づけるように作用する。
【００３３】
第１側方レンズ部分１４のそれぞれは、Ｘ軸を含む平面で切断した場合の断面形状が、発光素子７からの発散光をＹＺ平面の方向に屈折させる正のパワーを備えたものとされている。また、Ｙ軸を含む平面で切断した場合の断面形状が、図５（ｃ）に示すように、発光素子７からの発散光をＸＹ平面の方向に屈折させる正のパワーを備えたものとされている。言い換えると、第１側方レンズ部分１４は、当該部分を通過する光を（ｘ,ｙ,ｚ）成分で表した場合に、ｚ成分とｘ成分を０に近づけるように作用する。
【００３４】
第１中央レンズ部分１３および一対の第１側方レンズ部分１４は、Ｙ軸を中心として、図７（ｂ）に示す同一断面形状２０ａを回転させることにより得られる回転体２０であり、図７（ａ）の矢印に示すように、ＸＹ平面からＸ軸のマイナス方向に向って９０°の角度範囲に渡って形成されている。
【００３５】
ここで、同一断面形状２０ａは、図７（ｂ）に示すＹＺ平面上では、Ｚ軸に対して対称であり、Ｚ軸と交差してＺ軸の前方に突出する第１円弧部分２１と、第１円弧部分２１の両端からそれぞれＹ軸方向に突出する一対の第２円弧部分２２を備えている。第１円弧部分２１を規定している円の中心２１ａは、Ｚ軸上において発光面７ａから前方に離れた位置にある。また、一対の第２円弧部分２２をそれぞれ規定している円の中心２２ａは、Ｙ軸上において、発光面７ａから外側に離れた位置にある。図５（ａ）に示すように、第１円弧部分２１によって第１中央レンズ部分１３の外側面１３ａの形状が規定されており、一対の第２円弧部分２２によって一対の第１側方レンズ部分１４の外側面１４ａの形状が規定されている。
【００３６】
一対の第２円弧部分２２のＺ軸方向の後端の間は、図７（ｂ）に示すように、一方の第２円弧部分２２の後端からＹ軸上を延びる第１直線部分２３と、第１直線部分２３の端からＺ軸方向を前方に延びる第２直線部分２４と、第２直線部分２４の端からＹ軸方向に延びる第３直線部分２５と、第３直線部分２５の端からＺ軸方向を後方に延びる第４直線部分２６と、第４直線部分２６の端から他方の第２円弧部分２２の後端までＹ軸上を延びる第５直線部分２７によって連続させられている。第３直線部分２５の寸法は、第１円弧部分２１のＹ軸方向の寸法と同一となっている。第２直線部分２４、第３直線部分２５および第４直線部分２６によって、第１中央レンズ部分１３および第１側方レンズ部分１４の内側に形成されている第１凹部２８（図７（ａ）参照）の形状が規定されている。
【００３７】
次に、第２中央レンズ部分１５および一対の第２側方レンズ部分１６は、第１中央レンズ部分１３および第１側方レンズ部分１４のＹＺ平面上の端面、すなわち、図７（ｂ）に示す同一断面形状２０ａを備えている端面を、Ｘ軸のマイナス方向に所定長さだけ平行移動することにより得られる平行移動体となっている。より詳細には、同一断面形状２０ａの第１円弧部分２１によって第２中央レンズ部分１５の外側面１５ａの形状が規定されており、第２円弧部分２２によって第２側方レンズ部分１６の外側面１６ａの形状が規定されている。また、第２直線部分２４、第３直線部分２５および第４直線部分２６によって、第２中央レンズ部分１５および第２側方レンズ部分１６の内側に形成されている第２凹部２９の形状が規定されている。
【００３８】
これにより、第２中央レンズ部分１５は、Ｘ軸を含む平面で切断した場合の断面形状が、図５（ｂ）に示すように、発光素子７からの発散光を発散状態のまま通過させるものとなっており、Ｙ軸を含む平面で切断した場合の断面形状は、発光素子７からの発散光をＸＺ平面の方向に屈折させる正のパワーを備えたものとなっている。言い換えると、第２中央レンズ部分１５は、当該部分を通過する光を（ｘ,ｙ,ｚ）成分で表した場合に、ｙ成分のみを０に近づけるように作用する。
【００３９】
また、一対の第２側方レンズ部分１６は、Ｘ軸を含む平面で切断した場合の断面形状が、発光素子７からの発散光を発散状態のまま通過させるものとなっており、Ｙ軸を含む平面で切断した場合の断面形状は、図５（ｃ）に示す第１側方レンズ部分１４と同様に、発光素子７からの発散光をＸＹ平面の方向に屈折させる正のパワーを備えたものとなっている。言い換えると、第２側方レンズ部分１６は、当該部分を通過する光を（ｘ,ｙ,ｚ）成分で表した場合に、ｚ成分のみを０に近づけるように作用する。
【００４０】
なお、発光素子７は、第１凹部２８および第２凹部２９によって基板６上に形成された空間内に収納されており、光源レンズ８は発光素子７の発光面７ａをＺ軸方向の前方から覆っている。より詳細には、第１部位１１が発光面７ａのＸ軸のプラス側をＺ軸方向の前方から覆っており、第２部位１２が発光面７ａのＸ軸のマイナス側をＺ軸方向の前方から覆っている。
【００４１】
本例では、発光素子７から放射されてＹＺ平面からＸ軸のプラス側を通過する発散光のうち、ＸＺ平面に対しておよそ０°から４５°の方向に放射された光が第１中央レンズ部分１３を透過する。第１中央レンズ部分１３を通過する光は、図５（ｃ）に示すように、ＸＺ平面の方向に屈折させられ、その透過光はＸＺ平面に平行な方向に放射される。
【００４２】
また、発光素子７から放射されてＹＺ平面からＸ軸のプラス側を通過する発散光のうち、ＸＺ平面に対しておよそ４５°から９０°の方向に放射された光が第１側方レンズ部分１４を通過する。第１側方レンズ部分１４を通過する光は、ＹＺ平面の方向並びにＸＹ平面の方向に屈折させられ、その透過光はＹＺ平面並びにＸＹ平面に平行な方向に放射される。
【００４３】
さらに、発光素子７から放射されて、ＹＺ平面よりもＸ軸のマイナス側を通過する発散光のうちＺ軸に対しておよそ０°から４５°の方向に放射された光が、一部を除いて、直接、第２中央レンズ部分１５を透過する。第２中央レンズ部分１５を通過する光はＸＺ平面の方向に屈折させられ、その透過光はＸＺ平面に平行な方向に放射される。
【００４４】
また、発光素子７から放射されてＹＺ平面よりもＸ軸のマイナス側に向う発散光のうち、Ｚ軸に対しておよそ４５°から９０°の方向に放射された光が、一部を除いて、直接、第２側方レンズ部分１６を通過する。第２側方レンズ部分１６を通過する光は、Ｘ軸のマイナス方向に向うとともに、ＸＹ平面の方向に屈折させられ、その透過光はＸＹ平面に平行な方向に放射される。
【００４５】
なお、発光素子７から放射されて、ＹＺ平面よりもＸ軸のマイナス側に向う発散光のうち、第２中央レンズ部分１５または第２側方レンズ部分１６に直接達しない一部の光は、第１反射板９によってＹＺ平面の側に向って反射され、しかる後に、光源レンズ８を透過する。
【００４６】
（第１反射板）
第１反射板９は、ＹＺ平面と平行で光源レンズ８の側を向いている第１反射面９ａを備えている。第１反射面９ａは、図５（ｂ）に示すように、Ｘ軸のマイナス方向に向う第２中央レンズ部分１５の透過光を、ＹＺ平面の方向に反射する。本例では、第１反射板９のＺ軸方向の寸法は、光源レンズ８のＺ軸方向の高さ寸法の２倍以上となっている。
【００４７】
（第２反射板）
一対の第２反射板１０のそれぞれは、図５（ｃ）に示すように、光源レンズ８の側を向き、Ｚ軸の前方に向ってＸＺ平面から離れる方向に傾斜している第２反射面１０ａを備えている。本例では、第２反射面１０ａは発光素子７の発光面７ａに対して４５°傾斜している。第２反射面１０ａは、第１側方レンズ部分１４の透過光および第２側方レンズ部分１６の透過光を、ＸＺ平面の方向に反射する。
【００４８】
ここで、第１側方レンズ部分１４を通過する光は、ＸＹ平面の方向、並びに、ＹＺ平面の方向に屈折させられている。また、第２側方レンズ部分１６を通過する光はＹＺ平面よりもＸ軸のマイナス方向に向って放射されており、ＸＹ平面の方向に屈折させられている。従って、第１側方レンズ部分１４を通過する光、および、第２側方レンズ部分１６を通過する光が屈折させられていない場合と比較して、これらの透過光を、Ｘ軸方向およびＺ軸方向において、小さな反射板で反射できる。本例では、一対の第２反射板１０のＺ軸方向の前端は、光源レンズ８のＺ軸方向の前端よりも僅かに上方に位置している。
【００４９】
（光源モジュールの配光特性）
図８（ａ）は光源モジュール５の配光特性を天頂角度と方位角度相対値で示す扇グラフであり、図８（ｂ）は光源モジュール５の配光特性を方位角度と天頂角度相対値で示す等高線グラフである。本例によれば、発光素子７からの発散光のうち第１中央レンズ部分１３および第２中央レンズ部分１５を透過した透過光は、ＸＺ平面に沿って、Ｙ軸方向の幅が狭められた線状の第１出射光Ｌ１（図３（ｃ）参照）となる。
【００５０】
また、本例によれば、発光素子７からの発散光のうち、第１側方レンズ部分１４を透過する光は、ＸＹ平面並びにＹＺ平面と平行な方向に屈折させられており、第２側方レンズ部分１６を通過する光はＹＺ平面よりもＸ軸のマイナス方向に向って放射されて、ＸＹ平面の方向に屈折させられている。この結果、第１側方レンズ部分１４の透過光および第２側方レンズ部分１６の透過光は第１中央レンズ部分１３および第２中央レンズ部分１５の透過光とは重ならない方向に放射されているが、これらの透過光は、第２反射板１０によってＺ軸を含むＸＺ平面に平行な方向に反射させられて、第２出射光Ｌ２となる（図３（ｃ）参照）。
【００５１】
以上のような配光制御の結果、光源モジュール５から射出された第１出射光Ｌ１および第２出射光Ｌ２によれば、図７に示すように、方位角度２７０°の側に線状照明光を得ることができる。
【００５２】
本例では、光源レンズ８が第１中央レンズ部分１３のＸ軸のマイナス方向に連続する第２中央レンズ部分１５を備えているので、光源モジュール５による線状の照射範囲が長くなる。
【００５３】
また、本例では、光源レンズ８のＸ軸のマイナス方向に配置された第１反射板９によって、Ｘ軸のマイナス方向に向う第２中央レンズ部分１５の透過光をＹＺ平面側に反射するので、照射範囲の光度が高まる。
【００５４】
（照明装置の配光特性）
図９は本例の照明装置１を複数設置した状態を示す説明図であり、図９（ａ）は２つの照明装置１の間に位置する照射平面を示しており、図９（ｂ）は、照射対象の平面領域２００に対する照明装置１の位置を示している。図１０は照明装置１を４０ｍ間隔で複数設置した場合において照明装置１と照明装置１の間の照射平面における照度をシミュレーションした照度分布図であり、図１１は照明装置１を２６ｍ間隔で複数設置した場合において照明装置１と照明装置１の間の照射平面における照度をシミュレーションした照度分布図である。いずれも、下ケース２ｂを取り付けない状態でシミュレーションを行ったものである。
【００５５】
照明装置１において、光源となっている発光素子７のそれぞれは、出射光線光束が８５ｃｄである。また、第１反射板９および第２反射板１０の反射率は８６％であり、照明装置１の全方位出射光線効率は７７．６％である。
【００５６】
図９（ａ）に示すように、照明装置１は、照射対象の平面領域２００に沿って、隣接する照明装置１の線状照明光が長手方向で重なるように、一定の設置間隔Ｍで配置してある。また、図９（ｂ）に示すように、照明装置１は、照射対象の平面領域２００から４．５ｍの高さ位置に、照射対象の平面領域２００に対して２４°の角度で傾斜するように取り付けられている。従って、照明装置本体３に搭載されている各光源ユニット４も照射対象の平面領域２００に対して２４°の角度で傾斜している。
【００５７】
照明装置１を４０ｍの設置間隔Ｍで複数設置した場合には、照明装置１と照明装置１の間における照射平面２００Ａは長さ４０ｍ、幅５メートルとなる。照射平面２００Ａにおける入射光束は９８８．６４ｃｄであり、図１０に示すように、照射平面２００Ａにおける平均水平面照度、すなわち照射平面２００Ａの平均照度は４．９ｃｄとなる。また、鉛直面照度、すなわち、照射平面２００Ａの幅方向の中心線状で照射平面２００Ａから高さ１．５ｍの位置における鉛直面の平均照度は１．０２ｃｄとなる。
【００５８】
照明装置１を２６ｍの設置間隔Ｍで複数設置した場合には、照明装置１と照明装置１の間における照射平面２００Ａは長さ２６ｍ、幅５メートルとなる。この照射平面２００Ａにおける入射光束は９６６．９６ｃｄであり、図１１に示すように、照射平面２００Ａにおける平均水平面照度は７．４ｃｄとなる。また、照射平面２００Ａにおける鉛直面照度は２．９３ｃｄである。
【００５９】
（作用効果）
本発明によれば、光源ユニット４を構成している各光源モジュール５は、発光素子７からの発散光を光源レンズ８、第１反射板９および第２反射板１０を用いて配光しており、光源モジュール５からは発光素子７が搭載されている基板６と第１反射板９のなす角度で広がる一定幅の照明光が出射される。従って、光源モジュール５が発光素子７を囲む筒状の鏡によって発光素子７からの発散光を配光している場合と比較して、光源モジュール５から出射される照明光の角度範囲を広くすることができる。また、光源ユニット４では、発光素子７を搭載している２つの光源モジュール５の基板６を平行あるいは鋭角をなす状態で背中合わせに配置している。すなわち、光源ユニット４では、２つの光源モジュール５のそれぞれに搭載されている発光素子７が互いに基板６を挟んで反対側を向くように配置されており、これにより、光源ユニット４は一方の光源モジュール５の基板６から他方の光源モジュール５の基板６までの間の角度で広がる一定幅の線状照明光を形成するようになっている。従って、２つの光源モジュール５の発光素子７が同一方向に向くように配置されている場合と比較して、照明光を長くすることができる。よって、線状の照射範囲を少数の光源モジュール５によって形成することができる。また、発光素子７からの発散光を光源レンズ８、第１反射板９および第２反射板１０を用いて配光しているので、反射板のみを用いて配光する場合と比較して、光源モジュール５により形成される照明光を一定幅の線状にすることが容易となる。
【００６０】
ここで、第１中央レンズ部分１３は、当該部分を通過する光を（ｘ,ｙ,ｚ）成分で表した場合に、主にｙ成分を０に近づけるような形状あればよく、必ずしもｘ成分・ｚ成分をそのまま維持するものである必要はない。
【００６１】
第１側方レンズ部分１４は、当該部分を通過する光を（ｘ,ｙ,ｚ）成分で表した場合に、主にｚ成分とｘ成分を０に近づけるような形状であればよく、必ずしもｙ成分をそのまま維持するものである必要はない。
【００６２】
第２中央レンズ部分１５は、当該部分を通過する光を（ｘ,ｙ,ｚ）成分で表した場合に、ｙ成分のみを０に近づけるような形状あればよく、必ずしもｘ成分・ｚ成分をそのまま維持するものである必要はない。
【００６３】
第２側方レンズ部分１６は、当該部分を通過する光を（ｘ,ｙ,ｚ）成分で表した場合に、ｚ成分のみを０に近づけるような形状あればよく、必ずしもｘ成分・ｙ成分をそのまま維持するものである必要はない。
【００６４】
なお、後述する別の光源モジュールの光源レンズにおいても、このように形状をアレンジすることが可能である。
【００６５】
（照明装置に用いることができる参考例の光源モジュール）
次に、照明装置１に用いることができる参考例の光源モジュールを説明する。図１２（ａ）は本例の光源モジュールの平面図であり、図１２（ｂ）は本例の光源モジュールをＸＺ平面で切断した断面図であり、図１２（ｃ）は本例の光源モジュールをＹＺ平面で切断した断面図である。本例の説明では、光源モジュール５Ａにおいて、基板６上の発光素子７´の発光面７ａと同一平面上で、この発光面７ａ´の発光中心点Ｐから外れている位置を原点Ｏとし、原点Ｏおよび発光中心点Ｐを通過して延びる軸をＸ軸、原点ＯでＸ軸に直交して発光面７ａ´と同一平面上を延びる軸をＹ軸、原点ＯでＸ軸およびＹ軸と直交して発光面７ａ´の前方に延びる軸をＺ軸として、光源モジュール５Ａを説明する。図１２（ａ）、（ｂ）に示すように、原点Ｏは、第２の発光素子７´の発光面７ａ´から外れた位置であって、発光面７ａ´の外周縁の近傍にある。
【００６６】
なお、光源モジュール５Ａは、上記の光源モジュール５と同一の構成を備えているので、対応する部分には同一の符号を付して、その説明を省略する。また、本例の光源モジュール５Ａを照明装置１に搭載する場合には、光源モジュール５を照明装置１に搭載する場合と同様に、２つの光源モジュール５Ａを基板６が背中合わせとなるように隣接配置して光源ユニット４を構成し、８つの光源ユニット４を４個ずつ２列に配置することにより、照明装置本体３を構成する。
【００６７】
（発光素子）
第２の発光素子７´の配光特性は、図１３に示すものである。図１３（ａ）は第２の発光素子７´の配光特性を天頂角度と方位角度相対値で示す扇グラフであり、図１３（ｂ）は第２の発光素子７´の配光特性を方位角度と天頂角度相対値で示す等高線グラフである。第２の発光素子７´は、所謂、高輝度タイプの発光ダイオードである。
【００６８】
（光源レンズ）
光源レンズ８´は、発光素子７´の発光面７ａ´のＺ軸方向の前方に位置する中央レンズ部分３３と、Ｙ軸方向において中央レンズ部分３３の両端に形成されている一対の側方レンズ部分３４を備えている。Ｘ軸方向のプラス側から光源レンズ８´を見たときに、中央レンズ部分３３は、ＸＺ平面を挟んでＹ軸方向の右側に位置する右側レンズ部分３３１と、左側に位置する左側レンズ部分３３２を備えている。右側レンズ部分３３１と左側レンズ部分３３２はＸＺ平面に対して面対称となっている。
【００６９】
中央レンズ部分３３は、Ｘ軸を含む平面で切断した場合の断面形状が、図１２（ｂ）に示すように、第２の発光素子７´からの発散光を発散状態のまま通過させるものとされている。また、中央レンズ部分３３は、Ｙ軸を含む平面で切断した場合の断面形状が、図１２（ｃ）に示すように、第２の発光素子７´からの発散光をＸＺ平面の方向に屈折させる正のパワーを備えたものとされている。
【００７０】
側方レンズ部分３４のそれぞれは、Ｘ軸を含む平面で切断した場合の断面形状が第２の発光素子７´からの発散光をＹＺ平面の方向に屈折させる正のパワーを備えたものとされており、Ｙ軸を含む平面で切断した場合の断面形状が、図１２（ｃ）に示すように、第２の発光素子７´からの発散光をＸＹ平面の方向に屈折させる正のパワーを備えたものとされている。
【００７１】
ここで、中央レンズ部分３３および一対の側方レンズ部分３４は、Ｙ軸を中心として、図１２（ｂ）に示す同一断面形状４０ａを回転させることにより得られる回転体４０であり、図１２（ｂ）の矢印に示すように、ＸＹ平面からＸ軸のマイナス方向に向って９０°の角度範囲に渡って形成されている。
【００７２】
同一断面形状４０ａは、図１２（ｃ）に示すＹＺ平面上では、Ｚ軸に対して対称であり、Ｚ軸方向の前方に突出する凸曲線部分４１と、光源レンズ８´をＸ軸方向のプラス側から見たときに、凸曲線部分４１の左右の両端からそれぞれＹ方向に突出する一対の円弧部分４２を備えている。
【００７３】
凸曲線部分４１は、Ｚ軸を挟んで右側に位置する右側凸曲線部分４１１と左側に位置する左側凸曲線部分４１２を備えており、右側凸曲線部分４１１によって右側レンズ部分３３１の外側面３３１ａの形状が規定されており、左側凸曲線部分４１２によって左側レンズ部分３３２の外側面３３２ａの形状が規定されている。従って、右側凸曲線部分４１１および左側凸曲線部分４１２によって中央レンズ部分３３の外側面３３ａの形状が規定されている。
【００７４】
一対の円弧部分４２は、Ｚ軸を挟んで右側に位置する右側円弧部分４２１と、左側の左側円弧部分４２２を備えている。右側円弧部分４２１および左側の左側円弧部分４２２をそれぞれ規定する円の中心４２ａは、Ｙ軸上において発光面７ａ´から外側に離れた位置にある。一対の円弧部分４２によって、一対の側方レンズ部分３４の外側面３４ａの形状が規定されている。
【００７５】
ここで、右側凸曲線部分４１１と、一対の円弧部分４２のうちＺ軸よりも右側に位置している右側円弧部分４２１とは、Ｚ軸に対して右側に４５°の角度で傾斜している対称軸Ｎ１に対して線対称となっており、左側凸曲線部分４１２と、Ｚ軸よりも左側に位置している左側円弧部分４２２は、Ｚ軸に対して左側に４５°の角度で傾斜している対称軸Ｎ２に対して線対称となっている。
【００７６】
一対の円弧部分４２の後端の間は、右側円弧部分４２１の後端から右側に向ってＹ軸上を延びる第１直線部分４３と、第１直線部分４３の端からＺ軸方向を前方に延びる第２直線部分４４と、第２直線部分４４の端からＹ軸方向に向ってＺ軸方向を前方に傾斜して延びる第３直線部分４５と、第３直線部分４５の端からＹ軸方向に向ってＺ軸方向を後方に傾斜して延びる第４直線部分４６と、第４直線部分４６の端からＺ軸方向を後方に延びる第５直線部分４７と、第５直線部分４７の端から左側円弧部分４２２の後端までＹ軸上を延びる第６直線部分４８によって連続させられている。第３直線部分４５のＹ軸方向における寸法は右側凸曲線部分４１１のＹ軸方向における寸法と同一となっており、および第４直線部分４６のＹ軸方向における寸法は、左側凸曲線部分４１２のＹ軸方向における寸法と同一となっている。また、第２直線部分４４、第３直線部分４５、第４直線部分４６および第５直線部分４７によって、中央レンズ部分３３および側方レンズ部分３４の内側に形成されている凹部４９の形状が規定されている。
【００７７】
ここで、第２の発光素子７´は、凹部４９によって基板６上に形成された空間内に収納されている。光源レンズ８´は第２の発光素子７´の発光面７ａ´をＺ軸方向の前方から覆っている。
【００７８】
本例では、第２の発光素子７´からの発散光のうち、ＸＺ平面に対しておよそ０°から４５°の方向に放射された光が、一部を除いて、直接、中央レンズ部分３３を透過する。中央レンズ部分３３を透過する光は、ＸＺ平面の方向に屈折させられ、その透過光はＸＺ平面に平行な方向に放射される。中央レンズ部分３３の透過光のうち、Ｘ方向をＸ軸のマイナス方向に向う光は、第１反射板９によってＹＺ平面の方向に反射される。これらは第１出射光Ｌ１（図３（ｃ）参照）となる。
【００７９】
また、第２の発光素子７´からの発散光のうち、ＸＺ平面に対しておよそ４５°から９０°の方向に放射された光が、一部を除いて、直接、側方レンズ部分３４を通過する。側方レンズ部分３４を通過する光は、ＹＺ平面の方向並びにＸＹ平面の方向に屈折させられ、その透過光はＹＺ平面並びにＸＹ平面に平行な方向に放射される。しかる後に、側方レンズ部分３４の透過光は、第２反射板１０によってＸＺ平面の方向に反射される。これらは第２出射光Ｌ２となる（図３（ｃ）参照）。
【００８０】
なお、第２の発光素子７´からＸＺ平面に対しておよそ０°から４５°の方向に放射された光のうち中央レンズ部分３３に直接達しない一部の光、および、ＸＺ平面に対しておよそ４５°から９０°の方向に放射された光のうち側方レンズ部分３４に直接達しない一部の光は、第１反射板９によってＹＺ平面の方向に反射されて、光源レンズ８´を透過する。
【００８１】
（配光特性）
図１４（ａ）は光源モジュール５Ａの配光特性を天頂角度と方位角度相対値で示す扇グラフであり、図１４（ｂ）は光源モジュール５Ａの配光特性を方位角度と天頂角度相対値で示す等高線グラフである。図１４に示すように、本例の光源モジュール５Ａによれば、Ｙ軸方向の射出角度が狭まっており、方位角度２４０°の側に線状の照射範囲が形成される。また、光源モジュール５Ａによれば、中央レンズ部分３３を右側レンズ部分３３１および左側レンズ部分３３２から構成したことによって天頂角度９０°、方位角度２４０°の側の光線が分散され、実施例１の光源モジュール５よりも太い照明光を得ることができる。このような光源モジュール５Ａを照明装置１に搭載すれば、照明装置１によって線状の照射範囲を形成することができる。
【００８２】
なお、参考例の光源レンズ８´の替わりに、光源レンズ８の第１部位１１と同一形状を備える光源レンズ８´´を用いた光源モジュールを構成することもできる。このような光源モジュール５によっても線状の照明光を得ることができるので、照明装置１に搭載することにより、線状の照射範囲を形成することができる。
（その他の実施の形態）
なお、照明装置１に用いられる光源ユニット４の数および配置は上記の例に限られるものではなく、照射対象とする平面領域２００の形状に適合するように、列および個数を増減させることができる。また、本例の照明装置１は、防犯灯として道路に沿って設置する
こともできる。
【符号の説明】
【００８３】
１・照明装置、２ａ・上ケース、２ｂ・下ケース、３・照明装置本体、４・光源ユニット、５・５Ａ・光源モジュール、６・基板、７・７´・発光素子、７ａ・７ａ´・発光面、８・８´・光源レンズ、９・反射板、９ａ・反射面、１０・反射板、１０ａ・反射面、１１・第１部位、１２・第２部位、１３・第１中央レンズ部分、１３ａ・外側面、１４・第１側方レンズ部分、１４ａ・外側面、１５・第２中央レンズ部分、１５ａ・外側面、１６・第２側方レンズ部分、１６ａ・外側面、２０・回転体、２０ａ・同一断面形状、２１・第１円弧部分、２１ａ・中心、２２・第２円弧部分、２２ａ・中心、２３・第１直線部分、２４・第２直線部分、２５・第３直線部分、２６・第４直線部分、２７・第５直線部分、２８・第１凹部、２９・第２凹部、３３・中央レンズ部分、３３ａ・外側面、３４・側方レンズ部分、３４ａ・外側面、４０・回転体、４０ａ・同一断面形状、４１・凸曲線部分、４２・円弧部分、４２ａ・中心、４３・第１直線部分、４４・第２直線部分、４５・第３直線部分、４６・第４直線部分、４７・第５直線部分、４８・第６直線部分、４９・凹部、１００・支柱、２００・平面領域、２００Ａ・照射平面、３３１・右側レンズ部分、３３１ａ・外側面、３３２・左側レンズ部分、３３２ａ・外側面、４１１・右側凸曲線部分、４１２・左側凸曲線部分、４２１・右側円弧部分、４２２・左側円弧部分、Ｌ１・第１出射光、Ｌ２・第２出射光、Ｍ・間隔、Ｎ１・対称軸、Ｎ２・対称軸、Ｏ・原点、Ｐ・発光中心点
【図１】
0005580707.tif 000002
【図２】
0005580707.tif 000003
【図３】
0005580707.tif 000004
【図４】
0005580707.tif 000005
【図５】
0005580707.tif 000006
【図７】
0005580707.tif 000007
【図９】
0005580707.tif 000008
【図１２】
0005580707.tif 000009
【図６】
0005580707.tif 000010
【図８】
0005580707.tif 000011
【図１０】
0005580707.tif 000012
【図１１】
0005580707.tif 000013
【図１３】
0005580707.tif 000014
【図１４】
0005580707.tif 000015